(57)【要約】  一つの実施形態に係る基地局（２００）は、複数のオペレータ及び／又は複数の通信システムが共用する特定周波数帯を用いる。前記基地局は、前記特定周波数帯において自基地局が検出した干渉に関する干渉関連情報を無線端末（１００−１）に送信する。
2017026440.tif 000002
【特許請求の範囲】
【請求項１】
複数のオペレータ及び／又は複数の通信システムが共用する特定周波数帯を用いる基地局であって、
前記特定周波数帯において自基地局が検出した干渉に関する干渉関連情報を無線端末及び／又は他の基地局に送信する処理を行う制御部を備えることを特徴とする基地局。
【請求項２】
前記干渉は、前記基地局を管理する第１のオペレータとは異なる第２のオペレータが管理する装置による干渉、及び前記基地局が用いる第１の通信システムとは異なる第２の通信システムを用いる装置による干渉のうち、少なくとも１つを含むことを特徴とする請求項１に記載の基地局。
【請求項３】
前記干渉関連情報は、前記基地局が測定した干渉レベルを示す情報、及び前記基地局が前記特定周波数帯の特定のチャネルが空いているか判定した結果を示す情報のうち、少なくとも１つを含むことを特徴とする請求項１に記載の基地局。
【請求項４】
前記干渉レベルを示す情報は、前記基地局が測定した信号に関する測定結果を含むことを特徴とする請求項１に記載の基地局。
【請求項５】
前記制御部は、前記干渉関連情報をブロードキャストする処理を行うことを特徴とする請求項１に記載の基地局。
【請求項６】
複数のオペレータ及び／又は複数の通信システムが共用する特定周波数帯を用いる基地局が検出した干渉に関する干渉関連情報を前記基地局から受信する処理を行う制御部を備えることを特徴とする無線端末。
【請求項７】
前記干渉は、前記基地局を管理する第１のオペレータとは異なる第２のオペレータが管理する装置による干渉、及び前記基地局の第１の通信システムとは異なる第２の通信システムを用いる装置による干渉のうち、少なくとも１つを含むことを特徴とする請求項６に記載の無線端末。
【請求項８】
前記干渉関連情報は、前記基地局が測定した干渉レベルを示す情報、及び前記基地局が前記特定周波数帯の特定のチャネルが空いているか判定した結果を示す情報のうち、少なくとも１つを含むことを特徴とする請求項６に記載の無線端末。
【請求項９】
前記制御部は、自無線端末のアイドルモード時において、
前記基地局がブロードキャストした前記干渉関連情報を受信する処理を行い、
前記干渉関連情報に基づいて、前記基地局を自無線端末の接続対象として選択するか否かを判断することを特徴とする請求項６に記載の無線端末。
【請求項１０】
前記制御部は、
前記特定周波数帯を用いる複数の基地局のそれぞれからブロードキャストされた前記干渉関連情報を受信する処理を行い、
前記複数の基地局のそれぞれの前記干渉関連情報に基づいて、前記複数の基地局の中から自無線端末の接続対象の基地局を選択することを特徴とする請求項９に記載の無線端末。
【請求項１１】
前記制御部は、前記基地局から受信した前記干渉関連情報を他の基地局に送信することを特徴とする請求項６に記載の無線端末。
【請求項１２】
複数のオペレータ及び／又は複数の通信システムが共用する特定周波数帯を用いる基地局であって、
前記特定周波数帯を用いる他の基地局が検出した干渉に関する干渉関連情報を前記他の基地局から受信する処理を行う制御部を備えることを特徴とする基地局。
【請求項１３】
前記干渉は、前記基地局を管理する第１のオペレータとは異なる第２のオペレータが管理する装置による干渉、及び前記基地局が用いる第１の通信システムとは異なる第２の通信システムを用いる装置による干渉のうち、少なくとも１つを含むことを特徴とする請求項１２に記載の基地局。
【請求項１４】
前記干渉関連情報は、前記基地局が測定した干渉レベルを示す情報、及び前記基地局が前記特定周波数帯の特定のチャネルが空いているか判定した結果を示す情報のうち、少なくとも１つを含むことを特徴とする請求項１２に記載の基地局。
【請求項１５】
前記制御部は、前記干渉関連情報に基づいて、自基地局に接続する無線端末の新たな接続先として前記他の基地局を選択するか否かの判断を行うことを特徴とする請求項１２に記載の基地局。
【請求項１６】
前記制御部は、さらに自基地局が検出した干渉に関する情報に基づいて前記判断を行うことを特徴とする請求項１５に記載の基地局。
【発明の詳細な説明】
【技術分野】
【０００１】
本発明は、特定周波数帯を用いて無線通信を行う基地局及び無線端末に関する。
【背景技術】
【０００２】
近年、移動通信システムにおいて、急増するトラフィック需要に応えるべく、複数のオペレータ及び／又は複数の通信システムが共用する特定周波数帯を無線通信に用いるための検討がなされている。特定周波数帯は、例えば、免許が不要な周波数帯（アンライセンスドバンド）である。【０００３】
このような特定周波数帯を用いて無線通信を行う基地局及び無線端末は、他のオペレータ及び／又は他の通信システムとの干渉を回避するために、ｌｉｓｔｅｎ−ｂｅｆｏｒｅ−ｔａｌｋ（ＬＢＴ）と称される空きチャネル判定処理を行うことが要求される。【０００４】
ＬＢＴは、特定周波数帯内の対象チャネルが空いているか否かを受信信号強度（干渉電力）に基づいて判定し、空きチャネルであると判定された場合に限り対象チャネルを使用する手順である。
【先行技術文献】
【非特許文献】
【０００５】
【非特許文献１】３ＧＰＰ技術報告書  「ＴＲ  ３６．８８９  Ｖ．１３．０．０（２０１５年７月）」
【発明の概要】
【０００６】
一つの実施形態に係る基地局は、複数のオペレータ及び／又は複数の通信システムが共用する特定周波数帯を用いる。前記基地局は、前記特定周波数帯において自基地局が検出した干渉に関する干渉関連情報を無線端末及び／又は他の基地局に送信する処理を行う制御部を備える。
【０００７】
一つの実施形態に係る無線端末は、複数のオペレータ及び／又は複数の通信システムが共用する特定周波数帯を用いる基地局が検出した干渉に関する干渉関連情報を前記基地局から受信する処理を行う制御部を備える。
【０００８】
一つの実施形態に係る基地局は、複数のオペレータ及び／又は複数の通信システムが共用する特定周波数帯を用いる。前記基地局は、前記特定周波数帯を用いる他の基地局が検出した干渉に関する干渉関連情報を前記他の基地局から受信する処理を行う制御部を備える。
【図面の簡単な説明】
【０００９】
【図１】ＬＴＥシステムの構成を示す図である。
【図２】ＬＴＥシステムにおける無線インターフェイスのプロトコルスタック図である。
【図３】ＬＴＥシステムで使用される無線フレームの構成図である。
【図４】ＬＢＥ方式のＬＢＴの一例を示すフロー図である。
【図５】ＵＥ（無線端末）のブロック図である。
【図６】ｅＮＢ（基地局）のブロック図である。
【図７】第１実施形態及び第２実施形態に係る動作環境を示す図である。
【図８】第１実施形態に係る動作シーケンスの一例を示す図である。
【図９】第２実施形態に係る動作シーケンスの一例を示す図である。
【発明を実施するための形態】
【００１０】
［実施形態の概要］
第１実施形態及び第２実施形態に係る基地局は、複数のオペレータ及び／又は複数の通信システムが共用する特定周波数帯において運用される。前記基地局は、前記特定周波数帯において自基地局が検出した干渉に関する干渉関連情報を無線端末及び／又は他の基地局に送信する処理を行う制御部を備える。
【００１１】
第１実施形態及び第２実施形態において、前記干渉は、前記基地局のオペレータとは異なるオペレータによる干渉、及び前記基地局の通信システムとは異なる通信システムによる干渉のうち、少なくとも１つを含む。
【００１２】
第１実施形態及び第２実施形態において、前記干渉関連情報は、前記基地局が測定した干渉レベルを示す情報、及び前記基地局が前記特定周波数帯に対して行う空きチャネル判定処理の結果を示す情報のうち、少なくとも１つを含む。
【００１３】
第１実施形態において、前記制御部は、前記干渉関連情報をブロードキャストで前記無線端末に送信する処理を行う。
【００１４】
第１実施形態、及び第２実施形態の変更例に係る無線端末は、複数のオペレータ及び／又は複数の通信システムが共用する特定周波数帯において運用される基地局が検出した干渉に関する干渉関連情報を前記基地局から受信する処理を行う制御部を備える。
【００１５】
第１実施形態において、前記制御部は、自無線端末のアイドルモード時において、前記基地局がブロードキャストで送信する前記干渉関連情報を受信する処理を行い、前記干渉関連情報に基づいて、前記基地局を自無線端末の接続対象として選択するか否かを判断する。
【００１６】
第１実施形態において、前記制御部は、前記特定周波数帯において運用される複数の基地局のそれぞれについて前記干渉関連情報を受信する処理を行い、前記複数の基地局のそれぞれの前記干渉関連情報に基づいて、前記複数の基地局の中から自無線端末の接続対象を選択する。
【００１７】
第２実施形態の変更例において、前記制御部は、前記基地局から受信した前記干渉関連情報を他の基地局に報告する。
【００１８】
第２実施形態に係る基地局は、複数のオペレータ及び／又は複数の通信システムが共用する特定周波数帯において運用される。前記基地局は、前記特定周波数帯において運用される他の基地局が検出した干渉に関する干渉関連情報を前記他の基地局から受信する処理を行う制御部を備える。
【００１９】
第２実施形態において、前記制御部は、前記干渉関連情報に基づいて、自基地局に接続する無線端末の新たな接続先として前記他の基地局を選択するか否かの判断を行う。
【００２０】
第２実施形態において、前記制御部は、自基地局が検出した干渉に関する情報にさらに基づいて前記判断を行う。
【００２１】
［移動通信システム］
以下において、実施形態に係る移動通信システムであるＬＴＥシステムについて説明する。
【００２２】
（システム構成）
図１は、ＬＴＥシステムの構成を示す図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２３】
ＵＥ１００は、無線端末に相当する。ＵＥ１００は、移動型の通信装置であり、ｅＮＢ２００との無線通信を行う。ＵＥ１００の構成については後述する。
【００２４】
Ｅ−ＵＴＲＡＮ１０は、無線アクセスネットワークに相当する。Ｅ−ＵＴＲＡＮ１０は、ｅＮＢ（ｅｖｏｌｖｅｄ  Ｎｏｄｅ−Ｂ）２００を含む。ｅＮＢ２００は、基地局に相当する。ｅＮＢ２００は、Ｘ２インターフェイスを介して相互に接続される。ｅＮＢ２００の構成については後述する。
【００２５】
ｅＮＢ２００は、１又は複数のセルを管理しており、自セルに接続したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００２６】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００２７】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００３０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００３１】
ＰＤＣＰ層は、ヘッダ圧縮・伸張、及び暗号化・復号化を行う。
【００３２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００３３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００３４】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００３５】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００３６】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。各サブフレームには、時間方向及び周波数方向に分散して参照信号が配置される。
【００３７】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００３８】
（特定周波数帯）
以下において、特定周波数帯について説明する。
【００３９】
現状のＬＴＥシステムにおいて、ＵＥ１００及びｅＮＢ２００は、一のオペレータ及び一の通信システムが占有する周波数帯（割り当てバンド）を用いて無線通信を行うことが一般的である。
【００４０】
これに対し、実施形態において、ＵＥ１００及びｅＮＢ２００は、特定周波数帯を用いて無線通信を行う。特定周波数帯は、免許が不要な周波数帯（アンライセンスドバンド）である。或いは、特定周波数帯は、免許が必要な周波数帯（ライセンスドバンド）であって複数のオペレータ及び／又は複数の通信システムが共用する周波数帯であってもよい。以下においては、特定周波数帯がアンライセンスドバンドである一例について説明する。
【００４１】
このようなアンライセンスドバンドを用いて無線通信を行うＵＥ１００及びｅＮＢ２００は、他のオペレータ及び／又は他の通信システム（例えば、ＷＬＡＮシステム）との干渉を回避するために、ＬＢＴと称される空きチャネル判定処理を行うことが要求される。ＬＢＴは、アンライセンスドバンド内の対象チャネルが空いているか否かを受信信号強度（干渉電力）に基づいて判定し、空きチャネル（ｃｌｅａｒ  ｃｈａｎｎｅｌ）であると判定された場合に限り対象チャネルを使用する手順である。
【００４２】
ＬＢＴには、ＦＢＥ（Ｆｒａｍｅ  Ｂａｓｅｄ  Ｅｑｕｉｐｍｅｎｔ）方式及びＬＢＥ（Ｌｏａｄ  Ｂａｓｅｄ  Ｅｑｕｉｐｍｅｎｔ）方式の２つの方式がある。ＦＢＥ方式は、タイミングが固定された方式である。これに対し、ＬＢＥ方式は、タイミングが固定されていない。
【００４３】
図４は、ＬＢＥ方式のＬＢＴの一例を示すフロー図である。ＵＥ１００及びｅＮＢ２００は、アンライセンスドバンド内の対象チャネルについて本フローを実行する。ここでは、ｅＮＢ２００が本フローを実行する一例を説明する。
【００４４】
図４に示すように、ｅＮＢ２００は、対象チャネルを監視し、受信信号強度（干渉電力）に基づいて対象チャネルが空きであるか否かを判定する（ステップＳ１）。このような判定は、ＣＣＡ（Ｃｌｅａｒ  Ｃｈａｎｎｅｌ  Ａｓｓｅｓｓｍｅｎｔ）と称される。具体的には、ｅＮＢ２００は、検知した電力が閾値よりも大きい状態が一定期間（例えば２０μｓ以上）持続する場合、対象チャネルが使用中（Ｂｕｓｙ）であると判定する。そうでない場合、ｅＮＢ２００は、対象チャネルが空き（Ｉｄｌｅ）であると判定し、対象チャネルを用いてＵＥ１００に下りリンクデータを送信する（ステップＳ２）。
【００４５】
ｅＮＢ２００は、このような初期ＣＣＡの結果、対象チャネルが使用中（Ｂｕｓｙ）であると判定した場合、ＥＣＣＡ（Ｅｘｔｅｎｄｅｄ  Ｃｌｅａｒ  Ｃｈａｎｎｅｌ  Ａｓｓｅｓｓｍｅｎｔ）処理に移行する。ＥＣＣＡ処理において、ｅＮＢ２００は、初期値がＮであるカウンタ（Ｎ）を設定する（ステップＳ３）。Ｎは、４から３２までの間の乱数である。ＵＥ１００は、ＣＣＡが成功するごとにＮをデクリメント（すなわち、１を減算）する（ステップＳ５、Ｓ６）。ｅＮＢ２００は、Ｎが０に達すると（ステップＳ４：Ｎｏ）、対象チャネルが空き（Ｉｄｌｅ）であると判定し、対象チャネルを用いて無線信号を送信する（ステップＳ２）。
【００４６】
（無線端末）
以下において、ＵＥ１００（無線端末）の構成について説明する。図５は、ＵＥ１００のブロック図である。図５に示すように、ＵＥ１００は、受信部１１０、送信部１２０、及び制御部１３０を備える。
【００４７】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。受信部１１０は、割り当てバンドにおいて無線信号を受信する第１の受信機と、アンライセンスドバンドにおいて無線信号を受信する第２の受信機と、を含んでもよい。
【００４８】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。送信部１２０は、割り当てバンドにおいて無線信号を送信する第１の送信機と、アンライセンスドバンドにおいて無線信号を送信する第２の送信機と、を含んでもよい。
【００４９】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００５０】
（基地局）
以下において、ｅＮＢ２００（基地局）の構成について説明する。図６は、ｅＮＢ２００のブロック図である。図６に示すように、ｅＮＢ２００は、送信部２１０、受信部２２０、制御部２３０、及びバックホール通信部２４０を備える。
【００５１】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。送信部２１０は、割り当てバンドにおいて無線信号を送信する第１の送信機と、アンライセンスドバンドにおいて無線信号を送信する第２の送信機と、を含んでもよい。
【００５２】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。受信部２２０は、割り当てバンドにおいて無線信号を受信する第１の受信機と、アンライセンスドバンドにおいて無線信号を受信する第２の受信機と、を含んでもよい。
【００５３】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００５４】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００５５】
［第１実施形態］
以下において、第１実施形態について説明する。
【００５６】
（動作環境）
図７は、第１実施形態に係る動作環境を示す図である。
【００５７】
図７に示すように、同一オペレータ＃１のｅＮＢ２００−１及びｅＮＢ２００−２と、他のオペレータ＃２のｅＮＢ２００−３とが設置されている。各ｅＮＢ２００（ｅＮＢ２００−１乃至ｅＮＢ２００−３）は、アンライセンスドバンドにおいて運用される。具体的には、各ｅＮＢ２００は、アンライセンスドバンドのセルを管理する。図７において、ｅＮＢ２００−１がアンライセンスドバンドのセル＃１を管理し、ｅＮＢ２００−２がアンライセンスドバンドのセル＃２を管理する一例を示している。一方、セル＃１及びセル＃２の周辺には、他のオペレータ＃２のＵＥ１００−２及びｅＮＢ２００−３が位置する。
【００５８】
同一のオペレータ＃１のｅＮＢ２００−１及びｅＮＢ２００−２間では干渉を考慮したセル設計がなされていると考えられる。しかしながら、オペレータ＃１のｅＮＢ２００−１及びｅＮＢ２００−２は、他のオペレータ＃２のＵＥ１００−２及びｅＮＢ２００−３から強い干渉を受ける可能性がある。
【００５９】
セル＃１及びセル＃２の重複領域には、オペレータ＃１のＵＥ１００−１が位置する。ＵＥ１００−１は、アイドルモード（例えば、ＲＲＣアイドルモード）である。アイドルモードのＵＥ１００−１は、自身の移動に伴って、複数のセルの中から適切なセル（対象セル）をサービングセルとして選択又は再選択する動作を行う。このような動作は、セル選択又はセル再選択と称される。一般的なセル選択又はセル再選択には、ＵＥ１００が測定した参照信号受信電力（ＲＳＲＰ）が最も高いセルを選択する「ｂｅｓｔ  ｃｅｌｌ  ｐｒｉｎｃｉｐｌｅ」というコンセプトが採用されている。また、各周波数に優先度が設けられ、優先度が高い周波数が優先的に選択される。第１実施形態において、セル＃１及びセル＃２は同一のアンライセンスドバンド（同一周波数）に属しており、セル＃１及びセル＃２の優先度は同じであると仮定する。
【００６０】
ＵＥ１００−１は、アイドルモードからコネクティッドモードに遷移する際に、現在のサービングセルに対して接続処理（ランダムアクセス処理）を行う。このような接続処理により、ＵＥ１００−１は、現在のサービングセルにおいてアイドルモードからコネクティッドモードに遷移する。コネクティッドモードにおいて、サービングセルはプライマリセル（ＰＣｅｌｌ）と称されてもよい。以下において、アイドルモードからコネクティッドモードに遷移する動作を「初期接続」と称する。
【００６１】
アイドルモードのＵＥ１００−１が「ｂｅｓｔ  ｃｅｌｌ  ｐｒｉｎｃｉｐｌｅ」に基づいて初期接続を行う場合、次のような問題がある。ｅＮＢ２００が他のオペレータ及び／又は他の通信システムから干渉の影響を受ける場合、当該ｅＮＢ２００における受信品質（すなわち、上りリンクの通信品質）が劣化する。また、各ｅＮＢ２００にはＬＢＴが要求されるため、ｅＮＢ２００が他のオペレータ及び／又は他の通信システムから干渉の影響を受ける場合、当該ｅＮＢ２００の送信機会が制限される。よって、そのようなｅＮＢ２００にＵＥ１００−１が初期接続を行った場合、ＵＥ１００−１の受信機会も制限される。
【００６２】
（第１実施形態に係る動作）
以下において、第１実施形態に係る動作について説明する。
【００６３】
（１）ｅＮＢ２００の動作
ｅＮＢ２００−１及びｅＮＢ２００−２の動作を説明する。ｅＮＢ２００−１及びｅＮＢ２００−２は同様の動作を行うため、ここではｅＮＢ２００−１の動作のみを説明する。
【００６４】
第１実施形態に係るｅＮＢ２００−１は、アンライセンスドバンドにおいて運用される。ｅＮＢ２００−１は、アンライセンスドバンドにおいて自ｅＮＢ２００−１が検出した干渉に関する干渉関連情報を送信する。干渉は、ｅＮＢ２００−１のオペレータ＃１とは異なるオペレータ＃２による干渉、及びｅＮＢ２００−１の通信システム（ＬＴＥシステム）とは異なる通信システム（例えば、ＷＬＡＮシステム）による干渉のうち、少なくとも１つを含む。
【００６５】
第１実施形態において、ｅＮＢ２００−１は、干渉関連情報をブロードキャストでＵＥ１００に送信する処理を行う。例えば、ｅＮＢ２００−１は、干渉関連情報をシステム情報ブロック（ＳＩＢ）に含める。ＳＩＢは、アイドルモードのＵＥ１００が受信可能なメッセージ（Ｓｙｓｔｅｍ  Ｉｎｆｏｒｍａｔｉｏｎ  ｍｅｓｓａｇｅ）である。
【００６６】
第１実施形態において、干渉関連情報は、ｅＮＢ２００−１が測定した干渉レベルを示す情報である。干渉レベルを示す情報は、例えば受信信号強度インジケータ（ＲＳＳＩ）である。ＲＳＳＩは、ｅＮＢ２００−１がＬＢＴの際に測定したＲＳＳＩであってもよい。ＲＳＳＩは、瞬時最大値であってもよいし、平均値であってもよい。
【００６７】
ｅＮＢ２００−１は、ｅＮＢ２００−１が測定したＲＳＳＩのうち、自オペレータ（オペレータ＃１）からの干渉を除外することが好ましい。例えば、ｅＮＢ２００−１は、自オペレータの他のｅＮＢ２００及び／又はＵＥ１００についてＲＳＲＰを測定し、ｅＮＢ２００−１が測定したＲＳＳＩからＲＳＲＰを減じて得た値を、他のオペレータからの干渉レベルとして算出する。ここで、ｅＮＢ２００−１は、自オペレータにおいて用いられる参照信号を識別可能であるため、自オペレータについてのＲＳＲＰ測定を適切に行うことができる。但し、ＲＳＳＩはリソースブロック単位での測定であるが、ＲＳＲＰはリソースエレメント単位での測定であるため、単位を揃えるための変換処理が必要である。
【００６８】
さらに、より効率よく他のオペレータのＵＥ１００及び／又はｅＮＢ２００からの干渉レベルを測定するために、ＲＳＳＩの測定タイミングを工夫してもよい。例えば、ｅＮＢ２００−１は、自オペレータのＵＥ１００及び／又はｅＮＢ２００が送信を行っていないタイミングでＲＳＳＩ測定を行うことで、他のオペレータからの干渉レベルをより正確に把握することができる。また、ｅＮＢ２００−１は、ＲＳＳＩの測定時において自セル内のＵＥ１００の送信を止めるようなギャップをＵＥ１００に設定してもよい。そのようなギャップは、定期的に設けられてもよい。
【００６９】
或いは、干渉関連情報は、ｅＮＢ２００−１がアンライセンスドバンドに対して行う空きチャネル判定の結果を示す情報であってもよい。空きチャネル判定の結果を示す情報は、例えば、ＬＢＴが成功した確率又はＣＣＡが成功した確率を示す情報（成功率情報）である。空きチャネル判定の結果を示す情報は、ＬＢＴが失敗した確率又はＣＣＡが失敗した確率を示す情報（ｂｕｓｙ率情報）である。
【００７０】
（２）ＵＥ１００−１の動作
次に、ＵＥ１００−１の動作を説明する。第１実施形態に係るＵＥ１００−１は、ｅＮＢ２００−１が検出した干渉に関する干渉関連情報をｅＮＢ２００−１から受信する。
【００７１】
第１実施形態において、ＵＥ１００−１は、自ＵＥ１００−１のアイドルモード時において、ｅＮＢ２００−１がブロードキャストで送信する干渉関連情報を受信し、干渉関連情報に基づいて、ｅＮＢ２００−１（のセル）を自ＵＥ１００−１の接続対象（サービングセル）として選択するか否かを判断する。例えば、ＵＥ１００−１は、干渉関連情報に基づいてｅＮＢ２００−１が強い干渉を受けている、及び／又はｅＮＢ２００−１が高い確率で干渉を受けていると判断した場合、ｅＮＢ２００−１（のセル）を自ＵＥ１００−１の接続対象から除外する。
【００７２】
また、第１実施形態において、ＵＥ１００−１は、自オペレータの複数のｅＮＢ２００（ｅＮＢ２００−１及びｅＮＢ２００−２）のそれぞれについて干渉関連情報を受信し、各ｅＮＢ２００の干渉関連情報に基づいて、当該複数のｅＮＢ２００（のセル）の中から自ＵＥ１００−１の接続対象を選択する。例えば、ＵＥ１００−１は、複数のｅＮＢ２００のうち干渉レベルが最も低いｅＮＢ２００を接続対象として選択する。また、ＵＥ１００−１は、複数のｅＮＢ２００のうち干渉を受ける確率が最も低いｅＮＢ２００を接続対象として選択してもよい。
【００７３】
ＵＥ１００−１は、各ｅＮＢ２００の干渉関連情報だけではなく、自身が測定したＲＳＲＰに基づいて接続対象を選択してもよい。ここでは、干渉関連情報が、ｅＮＢ２００で測定したＲＳＳＩである一例を説明する。例えば、ＵＥ１００−１は、ｅＮＢ２００−１のＲＳＲＰがｅＮＢ２００−２のＲＳＲＰよりも高い場合、ＲＳＲＰのみに基づいてｅＮＢ２００−１を接続対象として選択するのではなく、ｅＮＢ２００−１で測定したＲＳＳＩ（ＲＳＳＩA）及びｅＮＢ２００−２で測定したＲＳＳＩ（ＲＳＳＩB）も考慮して接続対象を選択する。その結果、ｅＮＢ２００−１のＲＳＲＰがｅＮＢ２００−２のＲＳＲＰよりも高い場合でも、ＵＥ１００−１は、ＲＳＳＩA及びＲＳＳＩBの少なくとも一方に基づいてｅＮＢ２００−２を接続対象として選択し得る。
【００７４】
例えば、ＵＥ１００−１は、「ＲＳＳＩA>閾値」を満たす場合、ｅＮＢ２００−１におけるＬＢＴに支障が生じるとみなして、ｅＮＢ２００−２を接続対象として選択する。ここで閾値は、ｅＮＢ２００により設定されてもよい。また、閾値は、ｅＮＢ２００が送信するＳＩＢ（Ｓｙｓｔｅｍ  Ｉｎｆｏｒｍａｔｉｏｎ  Ｂｌｏｃｋ）に含まれてもよい。或いは、ＵＥ１００−１は、ＲＳＳＩA及びＲＳＳＩBを比較し、「ＲＳＳＩA>ＲＳＳＩB」を満たす場合、ｅＮＢ２００−２を接続対象として選択する。閾値を用いる手法と、ＲＳＳＩA及びＲＳＳＩBを比較する手法とを併用してもよい。
【００７５】
なお、ＵＥ１００−１がＲＳＳＩと閾値との比較を行うことに代えて、当該比較をｅＮＢ２００が行い、ｅＮＢ２００がＲＳＳＩと閾値との比較結果（ＲＳＳＩが閾値を超えているか否かを示す情報）をブロードキャストしてもよい。
【００７６】
（３）動作シーケンス
図８は、第１実施形態に係る動作シーケンスの一例を示す図である。
【００７７】
図８に示すように、ｅＮＢ２００−１は、干渉を検出し（ステップＳ１０１）、干渉関連情報をブロードキャストで送信する（ステップＳ１０２）。
【００７８】
ｅＮＢ２００−２は、干渉を検出し（ステップＳ１０３）、干渉関連情報をブロードキャストで送信する（ステップＳ１０４）。なお、ｅＮＢ２００−２は、干渉関連情報をｅＮＢ２００−１経由でＵＥ１００に送信してもよい。具体的には、ｅＮＢ２００−２が干渉関連情報をｅＮＢ２００−１に送信した後、ｅＮＢ２００−１は、ｅＮＢ２００−２から受信した干渉関連情報を隣接セルの情報としてブロードキャストで送信してもよい。
【００７９】
ＵＥ１００−１は、ｅＮＢ２００−１及びｅＮＢ２００−２のそれぞれの干渉関連情報を受信及び取得する（ステップＳ１０５）。そして、ＵＥ１００−１は、ｅＮＢ２００−１及びｅＮＢ２００−２のそれぞれの干渉関連情報に基づいて、ｅＮＢ２００−１及びｅＮＢ２００−２の中から自ＵＥ１００−１の接続対象を選択する（ステップＳ１０６）。
【００８０】
なお、各ｅＮＢ２００（２００−１及び２００−２）は、干渉を検出し、当該干渉が所定の閾値以上である場合に限って、干渉関連情報をブロードキャストで送信することとしてもよい。言い換えれば、各ｅＮＢ２００は、干渉を検出した場合に常に干渉関連情報を送信しなくともよい。そのような場合、ＵＥ１００−１は、ｅＮＢ２００−１からのみ干渉関連情報を受信している場合には、ｅＮＢ２００−２では干渉が発生していないと判断し、ｅＮＢ２００−２を優先的に接続先として選択してもよい。
【００８１】
また、一のｅＮＢ２００が複数のｅＮＢ２００の干渉の対比を行う場合、ＵＥ１００は、当該一のｅＮＢ２００から送信される複数のｅＮＢ２００の干渉の対比結果を受信し、それに基づいて、各ｅＮＢ２００の干渉状況を考慮し、接続先のｅＮＢ２００を判断してもよい。
【００８２】
また、各ｅＮＢ２００は、自ｅＮＢ２００が検出した干渉が所定の閾値以上である場合には、ＵＥ１００に対して、干渉関連情報に加えて又は代えて、ｅＮＢ２００への接続を抑制する指示をユニキャスト又はブロードキャストによって送信してもよい。ｅＮＢ２００から接続を抑制する指示を受信したＵＥ１００−１は、当該ｅＮＢ２００に対して接続するための手順の実施（ＲＲＣ  Ｃｏｎｎｅｃｔｉｏｎ  Ｐｒｏｃｅｄｕｒｅ等）を抑制する。
【００８３】
（第１実施形態のまとめ）
各ｅＮＢ２００は、アンライセンスドバンドにおいて自ｅＮＢ２００が検出した干渉に関する干渉関連情報をブロードキャストで送信する。ＵＥ１００−１は、アイドルモード時において、少なくとも１つのｅＮＢ２００の干渉関連情報を受信し、複数のｅＮＢ２００（複数のセル）の中から自ＵＥ１００−１の接続対象（サービングセル）を選択する。これにより、ＵＥ１００−１は、アンライセンスドバンドにおいて各ｅＮＢ２００が干渉を受けているかを考慮して、適切な接続対象を選択することができる。
【００８４】
［第１実施形態の変更例］
ｅＮＢ２００が検出した干渉を考慮したセル再選択手順を実現するために、現状のＬＴＥシステムのセル再選択手順の一部を変更してもよい。以下において、現状のＬＴＥシステムのセル再選択手順について説明する。
【００８５】
アイドルモードのＵＥ１００は、異なる周波数で運用される複数のセルの中からサービングセルとして用いる対象セルを選択する。具体的には、ＵＥ１００は、開始条件が満たされた場合に、現在のサービングセルに隣接する隣接セルの品質を測定し、選択条件を満たすセルの中からサービングセルとして用いる対象セルを選択する。
【００８６】
第１に、開始条件は、以下に示す通りである。
【００８７】
（Ａ１）現在のサービングセルの周波数の優先度よりも高い優先度を有する周波数：
ＵＥ１００は、高い優先度を有する周波数の品質を常に測定する。
【００８８】
（Ａ２）現在のサービングセルの周波数の優先度と等しい優先度又は低い優先度を有する周波数：
ＵＥ１００は、現在のサービングセルの品質が所定閾値を下回った場合に、等しい優先度又は低い優先度を有する周波数の品質を測定する。
【００８９】
第２に、選択条件は、以下に示す通りである。
【００９０】
（Ｂ１）隣接セルの周波数の優先度が現在のサービングセルの優先度よりも高い：
ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを対象セルとして選択する。このようなケースにおいて、隣接セルが満たすべき基準を“Ｓ−ｃｒｉｔｅｒｉａ”と称することもある。
【００９１】
但し、Ｓｑｕａｌは、セル選択品質レベルを表しており、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）であり、Ｑｑｕａｌｍｉｎは、最小要求品質レベルであり、Ｑｑｕａｌｍｉｎｏｆｆｓｅｔは、隣接セルに定常的に適用される所定オフセットであり、Ｑｏｆｆｓｅｔｔｅｍｐは、隣接セルに一時的に適用されるオフセットである。ＴｈｒｅｓｈＸ，ＨｉｇｈＱは、所定閾値である。
【００９２】
また、Ｓｒｘｌｅｖは、セル選択受信電力を表しており、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信電力（ＲＳＲＰ）であり、Ｑｒｘｌｅｖｍｉｎは、最小要求受信電力であり、Ｑｒｘｌｅｖｍｉｎｏｆｆｓｅｔは、隣接セルに定常的に適用される所定オフセットであり、Ｐｃｏｍｐｅｎｓａｔｉｏｎは、アップリンクの能力に関するパラメータであり、Ｑｏｆｆｓｅｔｔｅｍｐは、隣接セルに一時的に適用されるオフセットである。ＴｈｒｅｓｈＸ，ＨｉｇｈＰは、所定閾値である。
【００９３】
（Ｂ２）隣接セルの周波数の優先度が現在のサービングセルの優先度と同じである：
ＵＥ１００は、現在のサービングセルのランキングＲｓ及び隣接セルのランキングＲｎを算出するとともに、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００９４】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信電力（ＲＳＲＰ）であり、Ｑｍｅａｓ，ｎは、隣接セルの受信電力（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００９５】
（Ｂ３）隣接セルの周波数の優先度が現在のサービングセルの優先度よりも低い：
ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００９６】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００９７】
なお、対象セルの選択で用いる各種パラメータは、ｅＮＢ２００からブロードキャストされるシステム情報ブロック（ＳＩＢ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００９８】
このようなセル再選択手順において、ｅＮＢ２００が検出した干渉に基づく新たなパラメータを干渉関連情報として導入し、当該新たなパラメータをｅＮＢ２００がブロードキャストすることにより、各ｅＮＢ２００（各セル）における干渉の状況を反映したセル再選択が可能となる。新たなパラメータとしては、例えば、ｅＮＢ２００が検出した干渉に基づく周波数の優先度、ｅＮＢ２００が検出した干渉に基づく各種オフセット、ｅＮＢ２００が検出した干渉に基づく各種閾値等が挙げられる。
【００９９】
［第２実施形態］
以下において、第２実施形態について、第１実施形態との相違点を主として説明する。
【０１００】
第１実施形態はアイドルモードのＵＥ１００に関する実施形態であったが、第２実施形態はコネクティッドモードのＵＥ１００に関する実施形態である。また、図７に示すような動作環境において、ＵＥ１００−１がｅＮＢ２００−１に接続した状態（コネクティッドモード）であると仮定する。
【０１０１】
第２実施形態に係るｅＮＢ２００−２は、アンライセンスドバンドにおいて自ｅＮＢ２００−２が検出した干渉に関する干渉関連情報をｅＮＢ２００−１に送信する。干渉関連情報の具体例については第１実施形態と同様である。
【０１０２】
第２実施形態に係るｅＮＢ２００−１は、干渉関連情報をｅＮＢ２００−２から受信する。ｅＮＢ２００−１は、ｅＮＢ２００−２から受信した干渉関連情報に基づいて、自ｅＮＢ２００−１に接続するＵＥ１００−１の新たな接続先としてｅＮＢ２００−２を選択するか否かの判断を行う。
【０１０３】
ＵＥ１００−１の新たな接続先とは、ＵＥ１００−１のハンドオーバ先である。或いは、ＵＥ１００−１の新たな接続先とは、二重接続（Ｄｕａｌ  ｃｏｎｎｅｃｔｉｖｉｔｙ）方式におけるＵＥ１００−１のセカンダリｅＮＢ（ＳｅＮＢ）であってもよい。二重接続方式とは、ＵＥ１００が２つのｅＮＢ２００に接続する方式である。二重接続方式の場合、ｅＮＢ２００−１は、ＵＥ１００−１のマスタｅＮＢ（ＭｅＮＢ）として機能してもよい。
【０１０４】
ｅＮＢ２００−１は、ｅＮＢ２００−２から受信した干渉関連情報に基づいて、ｅＮＢ２００−２が強い干渉を受けている又はｅＮＢ２００−２が高い確率で干渉を受けていると判断した場合、ｅＮＢ２００−２をＵＥ１００−１の接続対象から除外してもよい。或いは、ｅＮＢ２００−１は、ｅＮＢ２００−２を含む複数のｅＮＢ２００から干渉関連情報を受信し、当該複数のｅＮＢ２００のうち干渉レベルが最も低いｅＮＢ２００又は干渉を受ける確率が最も低いｅＮＢ２００をＵＥ１００−１の新たな接続先として選択してもよい。
【０１０５】
ｅＮＢ２００−１は、他のｅＮＢ２００から受信した干渉関連情報だけではなく、自ｅＮＢ２００−１が検出した干渉に関する情報にさらに基づいてＵＥ１００−１の新たな接続先を選択してもよい。或いは、ｅＮＢ２００−１は、他のｅＮＢ２００から受信した干渉関連情報に基づくことなく、自ｅＮＢ２００−１が検出した干渉に関する情報に基づいてＵＥ１００−１の新たな接続先を判断（選択）してもよい。
【０１０６】
図９は、第２実施形態に係る動作シーケンスの一例を示す図である。
【０１０７】
図９に示すように、ｅＮＢ２００−１は、干渉を検出し（ステップＳ２０１）、検出した干渉に関する情報（例えば、ＲＳＳＩ）を測定及び記憶する。
【０１０８】
また、ｅＮＢ２００−２は、干渉を検出し（ステップＳ２０２）、干渉関連情報（例えば、ＲＳＳＩ）をｅＮＢ２００−１に送信する（ステップＳ２０３）。ｅＮＢ２００−２は、干渉関連情報を定期的にｅＮＢ２００−１に送信してもよいし、ｅＮＢ２００−１からの要求に応じて干渉関連情報をｅＮＢ２００−１に送信してもよい。なお、ｅＮＢ２００−１は、ＵＥ１００−１からの測定報告の受信（ステップＳ２０５）に応じて、干渉関連情報の送信をｅＮＢ２００−２に要求してもよい。
【０１０９】
ＵＥ１００−１は、ｅＮＢ２００−１のＲＳＲＰ（ＲＳＲＰA）及びｅＮＢ２００−２のＲＳＲＰ（ＲＳＲＰB）を測定し（ステップＳ２０４）、測定結果を含む測定報告をｅＮＢ２００−１に送信する（ステップＳ２０５）。
【０１１０】
ｅＮＢ２００−１は、測定報告を受信し、ＵＥ１００−１の新たな接続先としてｅＮＢ２００−２を選択するか否かの判断を行う（ステップＳ２０６）。例えば、ｅＮＢ２００−１は、測定報告に含まれるＲＳＲＰBがＲＳＲＰAよりも高い場合、ＲＳＲＰのみに基づいてＵＥ１００−１の新たな接続先としてｅＮＢ２００−２を選択するのではなく、ｅＮＢ２００−１で測定したＲＳＳＩ（ＲＳＳＩA）及びｅＮＢ２００−２で測定したＲＳＳＩ（ＲＳＳＩB）も考慮してＵＥ１００−１の新たな接続先を判断する。例えば、ｅＮＢ２００−１は、「ＲＳＳＩB>閾値」を満たす場合、ｅＮＢ２００−２におけるＬＢＴに支障が生じるとみなして、ＵＥ１００−１の新たな接続先としてｅＮＢ２００−２を選択しない。或いは、ｅＮＢ２００−１は、ＲＳＳＩA及びＲＳＳＩBを比較し、「ＲＳＳＩB<ＲＳＳＩA」を満たす場合、ＵＥ１００−１の新たな接続先としてｅＮＢ２００−２を選択する。閾値を用いる手法と、ＲＳＳＩA及びＲＳＳＩBを比較する手法とを併用してもよい。ここでは、ｅＮＢ２００−１がＵＥ１００−１の新たな接続先としてｅＮＢ２００−２を選択したと仮定して説明を進める。
【０１１１】
ｅＮＢ２００−１は、ＵＥ１００−１をｅＮＢ２００−２に接続させるための情報をＵＥ１００−１に送信する（ステップＳ２０７）。当該情報は、ｅＮＢ２００−２に対するハンドオーバ指示である。或いは、当該情報は、ｅＮＢ２００−２をＳｅＮＢとして追加するための追加指示であってもよい。ＵＥ１００−１は、ｅＮＢ２００−１から受信した情報に基づいて、ｅＮＢ２００−２に接続する。
【０１１２】
なお、本シーケンスにおいて、ＵＥ１００−１の接続先のｅＮＢ２００−１が判断を行う一例を示している。しかしながら、ｅＮＢ２００−１がハンドオーバリクエスト（自局の干渉情報を含む）を送信し、当該リクエストを受信したｅＮＢ２００−２が自局ｅＮＢ２００−２の干渉情報及びｅＮＢ２００−１の干渉情報に基づいて、当該ハンドオーバリクエストを許可するか否かを判断してもよい。なお、ハンドオーバリクエストには、ｅＮＢ２００−１の干渉情報を含まなくてもよく、その場合には、ｅＮＢ２００−２が自局ｅＮＢ２００−２の干渉情報に基づいて、当該ハンドオーバリクエストを許可するか否かを判断してもよい。ｅＮＢ２００−２は、当該ハンドオーバリクエストを許可する場合、承認応答をｅＮＢ２００−１に送信する。一方、当該ハンドオーバリクエストを拒否する場合、ｅＮＢ２００−２は、拒否応答をｅＮＢ２００−１に送信する。二重接続方式の場合、ハンドオーバリクエストをＳｅＮＢ追加リクエストと読み替えればよい。
【０１１３】
（第２実施形態のまとめ）
第２実施形態に係るｅＮＢ２００−１は、干渉関連情報を他のｅＮＢ２００から受信する。ｅＮＢ２００−１は、他のｅＮＢ２００から受信した干渉関連情報に基づいて、自ｅＮＢ２００−１に接続するＵＥ１００−１の新たな接続先を選択する。これにより、ｅＮＢ２００−１は、アンライセンスドバンドにおいて他のｅＮＢ２００が干渉を受けているかを考慮して、ＵＥ１００−１の新たな接続先を適切に選択することができる。
【０１１４】
［第２実施形態の変更例］
図９に示すシーケンスは、次のように変更してもよい。本変更例において、ｅＮＢ２００−２は、干渉関連情報をｅＮＢ２００−１に送信（ステップＳ２０３）することに代えて、干渉関連情報を自セル内にブロードキャストする。
【０１１５】
ＵＥ１００−１は、ｅＮＢ２００−２から干渉関連情報（ＳＩＢ）を受信し、受信した干渉関連情報を含む測定報告をｅＮＢ２００−１に送信（ステップＳ２０５）する。つまり、ＵＥ１００−１は、ｅＮＢ２００−２から受信した干渉関連情報をｅＮＢ２００−１に報告する。その後、ｅＮＢ２００−１は、ＵＥ１００−１から受信した測定報告に基づいてステップＳ２０６の処理を行う。
【０１１６】
第２実施形態の変更例によれば、ｅＮＢ２００−１とｅＮＢ２００−２との間で干渉関連情報が送受信されない場合でも、ｅＮＢ２００−１がＵＥ１００−１の適切な接続先を判断することができる。
【０１１７】
なお、ＵＥ１００−１が他セルの干渉関連情報を測定報告に含めるために、ｅＮＢ２００−１がＵＥ１００−１に対して設定を行なってもよい。このような設定は、ブロードキャストシグナリングにより行なわれてもよいし、ＵＥ１００−１宛ての専用シグナリング（例えば、ｍｅａｓｕｒｅｍｅｎｔ  ｃｏｎｆｉｇ．）により行なわれてもよい。ＵＥ１００−１は、ｅＮＢ２００−１から受信した設定情報に基づいて、ｅＮＢ２００−２から受信した干渉関連情報を測定報告に含める。
【０１１８】
［その他の実施形態］
アンライセンスドバンドにおいて運用される各ｅＮＢ２００−１は、自身が検出した干渉の状況に基づいて、自身のカバレッジを拡張又は縮小する等により、自身が収容するＵＥ１００の数を調整してもよい。ここで、カバレッジは、物理的なカバレッジに限らず、論理的なカバレッジであってもよい。ｅＮＢ２００の送信電力を上昇又は低下させることにより、物理的なカバレッジを拡張又は縮小することができる。ｅＮＢ２００のハンドオーバパラメータ（ハンドオーバ閾値）を調整することにより、論理的なカバレッジを拡張又は縮小することができる。例えば、強い干渉を受けているｅＮＢ２００は、自身のカバレッジを縮小する。或いは、ｅＮＢ２００−１がｅＮＢ２００−２に比べて強い大きな干渉を受けている場合、ｅＮＢ２００−１のカバレッジを縮小するとともに、ｅＮＢ２００−２のカバレッジを拡大する。
【０１１９】
第１実施形態及び第２実施形態は、別個独立して実施する場合に限らず、相互に組み合わせて実施してもよい。各ｅＮＢ２００は、干渉関連情報を他のｅＮＢに送信するとともに、干渉関連情報をＵＥ１００にブロードキャストしてもよい。
【０１２０】
また、ＵＥ１００は、アイドルモードである場合には、ｅＮＢ２００−１から干渉関連情報を受信した場合、当該干渉関連情報に基づいて、他のｅＮＢ２００−２へリセレクション（セル再選択）するよう動作してもよい。なお、リセレクションとは、キャンプするセル（基地局）を変更することを意味してもよい。
【０１２１】
また、ｅＮＢ２００−１は、ｅＮＢ２００−３又はＵＥ１００−２からの干渉を検出した場合には、当該干渉元であるｅＮＢ２００−３又はＵＥ１００−２に対して、干渉を抑制する（送信電力を低くする）ことを示す指示（要求）を送信してもよい。また、ｅＮＢ２００−１は、ｅＮＢ２００−３又はＵＥ１００−２の宛先となる識別番号を接続しているＵＥ１００−１から受信してもよい。
【０１２２】
上述した実施形態において、干渉関連情報は、上りリンクの誤り率及び下りリンクの誤り率のうち少なくとも一方であってもよい。また、干渉関連情報は、少なくとも干渉情報に基づいて計算される優先度決定パラメータの一種であってもよい。
【０１２３】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１２４】
日本国特許出願第２０１５−１５９０４４号（２０１５年８月１１日出願）の全内容が、参照により本願明細書に組み込まれている。
【産業上の利用可能性】
【０１２５】
本発明は、無線通信分野において有用である。
【図１】
2017026440.tif 000003
【図２】
2017026440.tif 000004
【図３】
2017026440.tif 000005
【図４】
2017026440.tif 000006
【図５】
2017026440.tif 000007
【図６】
2017026440.tif 000008
【図７】
2017026440.tif 000009
【図８】
2017026440.tif 000010
【図９】
2017026440.tif 000011
【国際調査報告】
2017026440.tif 000012
2017026440.tif 000013
2017026440.tif 000014
2017026440.tif 000015